(57)【要約】【課題】  展示された装飾品等を迅速、安全かつ確実に保護でき、特に、蓋付き器等垂直方向において分離された複数の物体からなる展示品を、地震から保護する展示方法及び装置を提供すること。【解決手段】  展示品を水平なシャッター板の上に載置し、震動感知器の出力に連動して前記シャッター板を開成し、展示品を略垂直に落下させ、緩衝性能を有しかつ容積を調節可能である展示品受け袋で受け止め、特に、展示品が垂直方向で分割された上側部及び下側部からなり、展示品の上側部を下側部の底部分から上方へ延びた保形性弾性体の保持部材によって支持することによって、垂直方向において上側部及び下側部の間に間隔を設けた状態で、前記シャッター板の上に載置することを特徴とする展示品を地震等から保護する展示方法。【選択図】      図８
2006296792.tif 000002
【特許請求の範囲】
【請求項１】
展示品を水平なシャッター板の上に載置し、震動感知器の出力に連動して前記シャッター板を開成し、展示品を略垂直に落下させ、緩衝性能を有しかつ容積を調節可能である展示品受け袋で受け止める、展示品を地震等から保護する展示部を使用し、
展示品が垂直方向で分割された上側部及び下側部からなり、展示品の上側部を下側部の底部分から上方へ延びた保形性弾性体の保持部材によって支持することによって、垂直方向において上側部及び下側部の間に間隔を設けた状態で、前記シャッター板の上に載置することを特徴とする展示品を地震等から保護する展示方法。
【請求項２】
前記保持部材は、発泡スチロールからなることを特徴とする請求項１に記載の展示品を地震等から保護する展示方法。
【請求項３】
展示品を水平なシャッター板の上に載置し、震動感知器の出力に連動して前記シャッター板を開成し、展示品を略垂直に落下させ、緩衝性能を有しかつ容積を調節可能である展示品受け袋で受け止める、展示品を地震等から保護する展示部と、
展示品が垂直方向で分割された上側部及び下側部からなり、展示品の上側部を、下側部の底部分から上方へ延び、上側部を垂直方向において上側部及び下側部の間に間隔を設けた状態で保持する保形性弾性体の保持部材と
を有することを特徴とする展示品を地震等から保護する展示装置。
【請求項４】
前記保持部材は、発泡スチロールからなることを特徴とする請求項３に記載の展示品を地震等から保護する展示装置。
【請求項５】
展示品を水平なシャッター板の上に載置し、震動感知器の出力に連動して前記シャッター板を開成し、展示品を略垂直に落下させ、緩衝性能を有しかつ容積を調節可能である展示品受け袋で受け止める、展示品を地震等から保護する展示部と、
展示品が垂直方向で分割された上側部及び下側部からなり、展示品の上側部を、下側部から上方へ延び、上側部を垂直方向及び水平方向において上側部及び下側部の間に間隔を設けた状態で保持する保形性弾性体の保持部材とを有し、
前記保持部材が、上側部及び下側部との間の係合部に隙間がないように形成されていることを特徴とする展示品を地震等から保護する展示装置。
【請求項６】
前記保持部材は、発泡スチロールからなることを特徴とする請求項５に記載の展示品を地震等から保護する展示装置。
【発明の詳細な説明】
【技術分野】
【０００１】
本発明は、歴史的、文化的、芸術的、経済的に高い価値のある、陶磁器やガラス工芸品のような破壊し易い展示品を、地震から保護する展示する方法及び装置であって、蓋付き器等複数の物体からなる展示品を、地震から有効に保護する展示方法及び装置に関する。
【背景技術】
【０００２】
上述したような破壊し易いて物品を、飾り棚、展示棚、陳列台等に載置しておいた場合、地震が発生すると、飾り棚、展示棚、陳列台等が震動によって転倒したり落下して、貴重な陶磁器やガラス工芸品等が損傷したり、破損してしまうおそれが高い。特に、蓋付き器等垂直方向において複数個に分離したて展示品は、落下して受け止められた時に、展示品の構成部分同士の衝突によって破損する可能がある。
【０００３】
そのため、従来は、飾り棚や陳列棚の装飾品等の周りに紐等を張設したり、支え用バー等を設ける等して、転倒や落下を防止している。また、特に大きい装飾品等の場合は、複数本の紐等を所定間隔を置いて張設している。しかし、このような方法は、転倒、落下の防止手段としては不確実であるばかりでなく、外観上見苦しく、歴史的、文化的意義を損ない、さらに、芸術的鑑賞を妨げることが多い。
【０００４】
これらの問題を解決するために、美術工芸品等を展示する際に、鑑賞の目障りにならないようにしつつ、そのまま美術工芸品等を展示することができる上に、地震等の振動による破損を免れることを目的として、対振動保護機能付き器物載置台が提案されている（例えば、特許文献１参照）。これは、陶芸品が載置され、当該載置される陶芸品を支持する薄板と、薄板の振動を検知する地震動感知器と、この地震動感知器からの検知信号により、薄板による陶芸品の支持を解除させるソレノイド装置と、薄板の下方に配されており、薄板による陶芸品の支持解除で、薄板から落下する陶芸品４収容して保護する台箱とを具備している。
【０００５】
他の従来技術としては、展示品が地震等によって倒れて破損するのを防止する展示品の保護装置が提案されている（例えば、特許文献２参照）。
この展示品の保護装置の機構は、展示品が載置される上板の周囲に、伸縮可能な保護部材を縮んだ状態で配置する。この保護部材は、検出器が地震等による所定のレベルを越える揺れを検出すると、高圧ガス供給源から配管を介して供給される高圧ガスによって伸び、展示品の周囲を囲む。そして、倒れようとする展示品を受け止めてその破損を防止する。
【０００６】
他の従来技術として、頂部および底部に一対の開口部を対向するように設けた所定高さの支持台を備え、該支持台の頂部側の開口部に、その中央部で突き合わせつつ閉成自在にして、かつ開成自在の二枚一対のシャッター板を配設し、底部側の開口部下方に、緩衝性能を有しかつ容積を調節可能である装飾品等の受け袋の上端開口縁を装着、吊持し、かつ上記シャッター板の駆動装置と震動感知機とを設け、該震動感知機が地震による震動を感知して駆動装置を作動させることでシャッター板を開成するようにしたことを特徴とする地震等から装飾品等を防護する載置台が提案されている（例えば、特許文献３参照）。
【０００７】
【特許文献１】特開平９−５１８２７号
【特許文献２】特開平９−２９９２０３号
【特許文献３】特許第３４５８０８９号
【発明の開示】
【発明が解決しようとする課題】
【０００８】
引用文献１の対振動保護機能付き器物載置台においては、地震を感知してシャッターを開成し、開成した支持手段から落下した器物を、衝撃緩衝材を備えた箱体の底部によって受け取り、その上方を解除手段によって制御された防護蓋によって蓋することによって、更なる落下から保護する。一方、実際の器物載置台においては、仮に落下領域に例えば一般的に考えられるスポンジ等の衝撃緩衝材が設けられていたとしても、陶芸品等が所定高さ位置から底部まで重力落下した場合に破壊する可能性は極めて高いと推定される。従って、引用文献１においては、地震時の外部からの物体の衝撃から保護することを作用効果とするものであって、陶芸品等衝撃に極めて弱い物品に関する器物載置台内部の重力落下による衝撃については実質上解決に至っていない。さらに、蓋付き器等複数の物体からなる展示物品を地震から保護することについては、何ら考慮されていない。
【０００９】
引用文献１に記載の展示ケースは、さらに、地震によって展示物体が落下した場合、展示物体が展示されていた垂直状態で落下する保証はなく、むしろ載置板が支点を中心に傾斜角度を大きくしながら開くから、展示物体が回転しながら落下する可能性が高い。その場合、展示物品が破壊するおそれは高く、対振動保護の機能は小さいものである。さらに、蓋付き器等垂直方向において分離された複数の物体からなる展示品を地震から保護することについては、何ら考慮されていない。
【００１０】
引用文献２に記載の展示ケースは、保護手段の位置が展示品の周囲にぴったり合っていなければならない。しかし、保護手段は、内側ベローズと外側ベローズからなり、一度形成すると実際上その大きさを変更することは困難であり、保護手段はまた管によって作動機構を介して高圧タンクに連通されているから、移動させることも困難である。従って、展示品を変えた時、それを確実に保護することは多くの手数を要する問題がある。また、引用文献２に記載の展示ケースは、内側ベローズと外側ベローズからなる保護手段が柔軟であり、また観察鑑賞を担保するため金属枠にガラスを嵌めた場合が多く、地震等によって発生する展示ケースの外部からの物体による衝撃から展示品を保護することは実際上困難である。さらに、蓋付き器等垂直方向において分離された複数の物体からなる展示品を地震から保護することについては、何ら考慮されていない。
【００１１】
引用文献３に記載の地震等から装飾品等を防護する載置台は、袋が柔軟性を有し、また容積の変更を容易にかつ確実に行うことができることに注目し、器物載置台の内部における重力落下による器物の破損に対する防止手段を備える。緩衝性能を有しかつ容積を調節可能である装飾品等の受け袋の上端開口縁を装着、吊持する構成は、受け袋の柔軟性に基づく衝撃吸収性を有効に利用している。これは、特別に角状に突出した形状のもの等を除いて、どのような形状のものでも小さな衝撃のみでその形状に沿って受け止めることができる。また、中間部を紐で締める等して容易に容積を調整することができ、載置される陶芸品等の器物は時々入れ替えられ、その形状や大きさが変更されても、器物に合わせて受け袋の容積を調整できることは、落下による衝撃を最少にするために、さらに、落下により器物が回転することを防止するために有効である。しかし、蓋付き器等垂直方向において分離された複数の物体からなる展示品を地震から保護することについては、何ら考慮されていない。
【００１２】
（目的）
本発明は、従来技術の上述した問題点に鑑みてなされたもので、陳列状態の垂直状態で周囲に衝突することなく落下させ、吊持された緩衝性能を有する受け袋内に落下、収納させるように構成することにより、展示された装飾品等を迅速、安全かつ確実に保護できる、展示品を地震から保護する展示方法及び装置を提供することを目的とする。
本発明はまた、展示品の寸法が変更された場合に、極めて容易迅速にそれに合わせた保護を可能にし、展示品の地震からの保護を行うことができる、展示品を地震から保護する展示方法及び装置を提供することを目的とする。
本発明はさらに、蓋付き器等垂直方向において分離された複数の物体からなる展示品を、地震から保護する展示方法及び装置を提供することを目的とする。
【課題を解決するための手段】
【００１３】
本発明は、展示品を水平なシャッター板の上に載置し、震動感知器の出力に連動して前記シャッター板を開成し、展示品を略垂直に落下させ、緩衝性能を有しかつ容積を調節可能である展示品受け袋で受け止める、展示品を地震等から保護する展示部を使用し、
展示品が垂直方向で分割された上側部及び下側部からなり、展示品の上側部を下側部の底部分から上方へ延びた保形性弾性体の保持部材によって支持することによって、垂直方向において上側部及び下側部の間に間隔を設けた状態で、前記シャッター板の上に載置することを特徴とする展示品を地震等から保護する展示方法である。
【００１４】
本発明はまた、展示品を水平なシャッター板の上に載置し、震動感知器の出力に連動して前記シャッター板を開成し、展示品を略垂直に落下させ、緩衝性能を有しかつ容積を調節可能である展示品受け袋で受け止める、展示品を地震等から保護する展示部と、
展示品が垂直方向で分割された上側部及び下側部からなり、展示品の上側部を、下側部の底部分から上方へ延び、上側部を垂直方向において上側部及び下側部の間に間隔を設けた状態で保持する保形性弾性体の保持部材と
を有することを特徴とする展示品を地震等から保護する展示装置である。
【００１５】
本発明はさらに、展示品を水平なシャッター板の上に載置し、震動感知器の出力に連動して前記シャッター板を開成し、展示品を略垂直に落下させ、緩衝性能を有しかつ容積を調節可能である展示品受け袋で受け止める、展示品を地震等から保護する展示部と、
展示品が垂直方向で分割された上側部及び下側部からなり、展示品の上側部を、下側部から上方へ延び、上側部を垂直方向及び水平方向において上側部及び下側部の間に間隔を設けた状態で保持する保形性弾性体の保持部材とを有し、
前記保持部材が、上側部及び下側部との間の係合部に隙間がないように形成されていることを特徴とする展示品を地震等から保護する展示装置である。
【００１６】
本発明の実施態様の一つは、前記保持部材が、発泡スチロールからなることを特徴とする。
【発明の効果】
【００１７】
本発明は、以上説明したように構成されるものであるから、次に述べる効果を有する。第１に、陳列状態の垂直状態で周囲に衝突することなく落下させ、吊持された緩衝性能を有する受け袋内に落下、収納させるように構成することにより、展示された装飾品等を迅速、安全かつ確実に保護できる効果を有する。
【００１８】
本発明はまた、展示品の寸法が変更された場合に、極めて容易迅速にそれに合わせた保護を可能にし、展示品の地震からの保護を行うことができる、展示品を地震から保護することができる効果を有する。
本発明はさらに、蓋付き器等垂直方向において分離された複数の物体からなる展示品を、地震から有効に保護することができる効果を有する。
【発明を実施するための最良の形態】
【００１９】
以下、本発明に係る展示品を地震等から保護する展示装置の実施形態について図面を参照して説明する。図１は、支持台のシャッター板上面に装飾品等を載置した通常状態の展示部の断面図である。図２は、地震が発生し、シャッター板が開成して装飾品等が受け袋内に落下、収容した状態の縦断面図である。図３は、シャッター板と、その駆動装置と、震動感知機の各斜視図である。図４は、シャッター板の駆動装置と、電気配線説明図である。図５は、装飾品等の受け袋の詳細な説明図である。図６は、図５に示す受け袋の途中を縛り紐で縛った状態の説明図である。図７は、複数個の展示品を展示できる載置部材の全体正面図である。図８は、展示品を第１実施形態の保持部材で保持した状態を示す展示品の断面図である。図９は、展示品を第２実施形態の保持部材で保持した状態を示す展示品の断面図である。図１０は、展示敷布の平面図である。
【００２０】
（展示部）
展示部１００は、図１及び図２に示すように、展示品Ａの支持台１と、これを上部に載置する大型の筐体２との組み合わせにより構成される。
支持台１は、平面的に所定の二軸方向寸法を有して形成され、頂部３の中央部を四角形状に開設して、側部４の内側に、平面的に所定の二軸方向寸法（平面四角形状）を有する開口部５が設けられている。
【００２１】
開口部５には、ほぼ同一大きさに形成された二枚一対のシャッター板６、７が、その中央部で突き合わせつつ、対象端部を、開口部５の開口縁、すなわち頂部３にヒンジ８、９によって水平に閉成可能に、かつ下方へほぼ垂直に開成可能に支持されている。
一対のシャッター板６、７のうち何れか一方には、図１及び図２に示すように、シャッター板７の対向端部裏面に、他方のシャッター板６を水平に閉成保持するためのストッパー１０を突出させて設けてある。
【００２２】
支持台１は、その底部を側部４の内側と同寸に開口して、平面方形状の開口部１１を形成する。また、支持台１は、その側部４の下端にフランジ４ｂが外向きに突出して設けられている。
一方、上記筐体２の天板２ａには、当該天板２ａに載設された支持台１の底部の開口部１１に対して同形状、同寸法の開口部２ｂが対向形成してある。
【００２３】
筐体２の天板２ａの開口部２ｂの下側周縁には、展示品Ａの受け袋１２の上端開口縁１２ａが複数個の止め金具１３によって装着され、受け袋１２が吊持されている。これによって、支持台１の開口部５、１１と筐体２の開口部２ｂと受け袋１２の上端開口縁１２ａとが、垂直に連通して形成されている。
【００２４】
受け袋１２は、緩衝性能を有する素材、すなわち衝撃吸収力の大きい、プラスチック繊維製のネット地あるいは布地等からなる任意の緩衝材によって形成され、当該受け袋１２内に展示品Ａが落下して収納される際、衝撃を吸収し展示品Ａの落下による損傷や破損を防止できるようになっている。
【００２５】
また、受け袋１２は、図５及び図６に示すように、特定の展示品Ａに対して大型に形成され、その途中の横方向に一段または複数段（図示例では２段）に亘って所定の間隔を置いて紐通し１４を各付設し、該紐通し１４内に縛り紐１５を挿通させてある。これによって、該当展示品Ａが大きいときは、図５に示すように、受け袋１２は、縛り紐１５を使わずに受け袋１２の底部で展示品Ａを受け取れるように形成される。縛り紐１５は、ゴム等で形成して、弾性を有するとさらに望ましい。他方、該当展示品Ａが小さいときは、図６に示すように、下側の縛り紐１５を結束することにより、受け袋１２を途中で縛っておき、受け袋１２がその上方で展示品Ａを受けるようにする。
【００２６】
さらに、受け袋１２の下方には、その横方向にファスナー１６が装着されている。ファスナー１６を開くことによって、受け袋１２の下側を開き、受け袋１２内に落下し収納された展示品Ａを容易に取り出すことができる。受け袋１２の下部の外面には、補強用テープ１７が取付けられている。受け袋１２の最下部には、振れ止め用紐１８が取付られている。振れ止め用紐１８の下端部は、取付金具１９を介して筐体２の底板２ｃに連結されている。
支持台１の側部４には、その上方に窓孔４ａが開設され、該窓孔４ａ外側の筐体２の天板２ａ上には、シャッター板６、７の駆動装置２０が設けられている。
【００２７】
（駆動部）
駆動装置２０は、図１ないし図４に示すように、上記シャッター板６、７の閉成保持兼開成機構２１と震動感知機２２とを具備している。
閉成保持兼開成機構２１は、筐体２の天板２ａに固定立設した支柱２３と、ガイドアーム２４と、ロックアーム２５と、引張りバネ２６と、ロータリーソレノイド２７及び上記閉成保持兼開成機構２１の閉成保持解除用駆動源２８とで構成されている。
【００２８】
ガイドアーム２４は、長さ方向に貫通形成した長孔２４ａに、支柱２３の上端近傍に固定したピン２３ａを挿通して、長さ方向へスライド自在に、かつ上下方向へ回転自在に支持され、先端を、窓孔４ａを通して、シャッター板７の裏面に取り付けたブラケット２９に回転自在に軸承させてある。
【００２９】
ロックアーム２５は、基端近傍の下面に係合凹部２５ａを形成させてあり、先端を、窓孔４ａを通して、ガイドアーム２４の先端近傍に回転自在に支持させてある。また、ロックアーム２５は、先端から基端側へ傾斜下降させて、その係合凹部２５ａを、支柱２３のほぼ中間部に突設した水平なピン２３ｂと係脱自在に係合される。さらに、ロックアーム２５の基端と、支柱２３の下部に端部を各係止して引っ張りバネ２６が張設される。この張力によって、係合凹部２５ａとピン２３ｂとの係合状態が保持され、二枚一対のシャッター板６、７を水平状態に閉成保持する。
【００３０】
ロータリーソレノイド２７は、図１ないし図４に示すように、駆動軸２７ａに固定した円板２７ｂに、偏心ピン２７ｃを突出して設け、ロータリーソレノイド２７が回転することで偏心ピン２７ｃが偏心回転する。これによって、ロックアーム２５の下面を押し上げ、ロックアーム２５の基端側を引っ張りバネ２６の張力に抗して押し上げ、係合凹部２５ａに対するピン２３ｂとの係合を解除する。
閉成保持兼開成機構２１の閉成保持解除用駆動源２８は、図４に示すように、電源３０と、ロータリーソレノイド作動用メインリレイ３１と、既述ロータリーソレノイド２７と、充電装置３２とを、震動感知機２２と電気的に接続して構成されている。
【００３１】
駆動源２８には、ロータリーソレノイド２７に対する複数（図示例では６個）の電源供給回路３３ないし３８を設けて、図７に示すように、複数の支持台１の各ロータリーソレノイド２７と電気的に接続される。
なお、電源３０は、大地震で公的電流の供給が遮断されても、バッテリー（図示しない）から電源がロータリーソレノイドへ通電されるように形成されており、これによって停電時でも展示品Ａの保護が確実に行われるようにしてある。
【００３２】
震動感知機２２は、振り子２２ａの傾きでリミットスイッチがＯＮとなり、ロータリーソレノイド２７及び作動用メインリレイ３１を作動させ、ロータリーソレノイド２７を作動させる振り子方式である。
他の震動感知機として、加速度計（図示せず）→Ａ／Ｄ→コンピュータ（フィルター処理と作動決定数値入力）→ロータリーソレノイド作動用メインリレイ３１→ロータリーソレノイド２７を作動する加速度計方式がある。ここでの作動決定数値入力は、震度２で作動させる場合は２〜９ガル、震度３での作動は１０〜３０ガルとする。
さらに他の震動感知機として、レーザ光を利用し、地震発生時の液面変化による反射率での作動方式及び液面変化での光遮断による作動方式、その他、液面変化で永久磁石が上下動してスイッチが作動するリードスイッチ方式がある。
【００３３】
支持台１は、載置台に一個だけでも、図７に示したように複数個、例えば三個設けるようにすることもできる。この場合でも、シャッター板６、７の駆動装置２０中、震動感知機２２は一個設置し、この震動感知機２２が震動を感知することにより、各支持台１ごとの閉成保持兼開成機構２１の各ロータリーソレノイド２７へ通電され、閉成保持兼開成機構２１の閉成保持が解除される。これにより、一方のシャッター板７が下方へ開成されると同時に、当該シャッター板７のストッパー１０による対向端部の支持が解かれることで、他方のシャッター板６も下方へ開成される。
【００３４】
図１、図２及び図７において、カバー３９は、支持台１の上面のみ露出させた筐体２あるいは後述するテーブル上に載置される。図７において、各支持台１は、大型のテーブル４０上に載置され、該テーブル４０の支持台１の開口部と連通される開口部４１の下面に、複数個、例えば３個の受け袋１２の上端開口縁１２ａを前記同様止め金具によって装着して、吊時させてある。このテーブル４０の脚４０ａには、その下方に連結棒４０ｂが横設されており、該連結棒４０ｂに上記した各受け袋１２下端の振れ止め用紐１８を取付金具１９を介して連結して、固定させてある。４２は、高さ調整ねじであり、４３は支持台１の透明ガラス製カバーである。
【００３５】
（支持部材）
第１実施形態の支持部材２００は、図８に示すように、展示品Ａが垂直方向で分割された上側部２０２及び下側部２０４からなる。展示品Ａの上側部２０２は、下側部２０４の底部２０６から上方へ延びた保形性弾性体、例えば発泡スチロール製の保持部材２００によって支持され、垂直方向において上側部２０２及び下側部２０４の間に間隔を設けた状態で、前記シャッター板６，７の上に載置される。
展示品Ａが落下して受け袋１２によって受け止められることによって、保持部材２００は下側部２０４の底部２０６で受け止められる。この際、下側部２０４の底部２０６は、受け袋１２によって直接最初に受け止められるから、上側部２０２によって発生させられた下向きの衝撃力を実質上受け袋１２によって受け袋１２で受けることになり、下側部２０４が上側部２０２によって発生させられた下向きの衝撃力によって破壊される可能性は極めて低くなる。
【００３６】
第２実施形態の支持部材３００は、図９に示すように、展示品Ａが垂直方向で分割された上側部３０２及び下側部３０４からなり、展示品Ａの上側部３０２を、下側部３０４から上方へ延び、上側部３０２を垂直方向及び水平方向において上側部３０２及び下側部３０４の間に間隔を設けた状態で保持する保形性弾性体、例えば発泡スチロール製の保持部材３００を有する。
展示品Ａが落下して受け袋１２によって受け止められることによって、保持部材３００は下側部３０４の底部３０６で受け止められる。この際、上側部３０２は、下側部３０４によって隙間なく保持された保持部材３００によって支持されているから、展示品Ａが多少傾斜して受け袋１２によって受け止められても、上側部３０２によって発生させられた下向きの衝撃力は下側部３０４の保持部材３００に係合している部分に略均等に伝達され、該衝撃力によって展示品Ａが破壊されるおそれは少なくなる。
一方、仮に、保持部材が従来の包装等のように柔軟性弾性体で形成されていた場合、展示品Ａが多少傾斜して受け袋１２によって受け止められると、上側部３０２によって発生させられた下向きの衝撃力は、下側部３０４の上側部３０２との係合部、例えば展示品Ａの口部の小さい領域に集中し、下側部３０４が破壊し易いと考えられる。
【００３７】
（展示敷布）
展示敷布ａは、フェルト、フラノ、合成繊維不織布等柔軟性を有し、０．５ないし２．０ｍｍ程度の厚さを有するシート状物である。展示敷布ａの外形や寸法は、テーブル４０等との審美的釣り合いを配慮して決定され、本実施形態では正方形である。展示敷布ａの中心には、ミシン目、彩色線等からなる開口表示枠４００が形成されている。開口表示枠４００は、開口部５の形状及び寸法に一致させる。
【００３８】
（作動）
上述した構成の展示装置による展示方法は、最初に、図５及び図６に示すように、受け袋１２が展示品Ａの大きさに合うように、縛り紐１５を選択して引き締めて結び、受け袋１２を所定の大きさにする。次に、シャッター板６、７を水平にして閉成状態にする。次に、展示敷布ａをテーブル４０の上に敷き、開口部５と開口表示枠４００とを一致させる。次に、展示品Ａを展示敷布ａの開口表示枠４００の中心に位置させて展示する。
【００３９】
このように展示して、展示装置が設定震度より強い地震を感知すると、駆動装置２０の震動感知機２２が、振り子２２ａの傾きでリミットスイッチがＯＮとなり、ロータリーソレノイド２７及び作動用メインリレイ３１を作動させ、シャッター板６、７が開成する。シャッター板６、７が開成する際、シャッター板６はシャッター板７のストッパー１０によって支持されていたから、シャッター板６、７は実質上同時に同一の速さで下方へ軸回転するので、開口部５の中心部に配置されていた展示品Ａは、展示されていた垂直状態を維持したまま受け袋１２の中へ落下する。
【００４０】
展示品Ａが落下する際、展示敷布ａは展示品Ａと一緒に落下し、すなわち展示敷布ａが展示品Ａを包んだ状態で落下するため、展示品Ａの表面が受け袋１２との摩擦によって損傷されることがない。
【図面の簡単な説明】
【００４１】
【図１】支持台のシャッター板上面に装飾品等を載置した通常状態の縦断図である。
【図２】地震が発生し、シャッター板が開成して展示品が受け袋内に落下、収容した状態の縦断面図である。
【図３】シャッター板と、その駆動装置と、震動感知機の各斜視図である。
【図４】シャッター板の駆動装置と、その電気配線説明図である。
【図５】展示品の受け袋の詳細な説明図である。
【図６】同上の受け袋の途中を縛り紐で縛った状態の説明図である。
【図７】複数個の装飾品等を展示できる載置台の全体正面図である。
【図８】展示品を第１実施形態の保持部材で保持した状態を示す展示品の断面図である。
【図９】展示品を第２実施形態の保持部材で保持した状態を示す展示品の断面図である。
【図１０】展示敷布の平面図である。
【符号の説明】
【００４２】
Ａ                展示品
ａ                展示敷布
１                支持台
５                開口部
６、７            シャッター板
１１              開口部
１２              受け袋
１５              縛り紐
２０              駆動装置
２２              震動感知機
４０              テーブル
４０ａ            脚
４１              開口部
２００、３００    保持部材
２０２、３０２    上側部
２０４、３０４    下側部
【図１】
2006296792.tif 000003
【図２】
2006296792.tif 000004
【図３】
2006296792.tif 000005
【図４】
2006296792.tif 000006
【図５】
2006296792.tif 000007
【図６】
2006296792.tif 000008
【図７】
2006296792.tif 000009
【図８】
2006296792.tif 000010
【図９】
2006296792.tif 000011
【図１０】
2006296792.tif 000012